(57)【特許請求の範囲】
【請求項１】
圧力をサンプリング測定してリアルタイムで高度表示を行う携帯型圧力測定装置において、移動検出手段を備え、前記移動検出手段が移動を検出しているときはリアルタイム表示に適した携帯時サンプリング周期で圧力測定を行い、前記移動検出手段が移動を検出していないときは圧力測定を行わないことを特徴とする携帯型圧力測定装置。
【請求項２】
圧力をサンプリング測定してリアルタイムで高度表示を行う携帯型圧力測定装置において、移動検出手段を備え、前記移動検出手段が移動を検出しているときはリアルタイム表示に適した携帯時サンプリング周期で圧力測定を行い、前記移動検出手段が移動を検出していないときは携帯時サンプリング周期より長い非移動時サンプリング周期で圧力測定を行うことを特徴とする携帯型圧力測定装置。
【請求項３】
圧力をサンプリング測定してリアルタイムで高度表示を行う携帯型圧力測定装置において、移動検出手段と高度変化率演算手段と最大しきい値から最小しきい値までＮ−１個のしきい値を設定する手段とを備え、前記移動検出手段が移動を検出しているときは、高度変化率が最大しきい値以上のときには最小周期の第Ｎサンプリング周期で圧力測定を行い、高度変化率が最小しきい値未満のときは最大周期の第１サンプリング周期で圧力測定を行い、高度変化率が最大しきい値と最小しきい値の間にあるときは夫々のしきい値に対応した大きさのサンプリング周期で圧力測定を行い、前記移動検出手段が移動を検出していないときは圧力のサンプリング測定を行わないことを特徴とする携帯型圧力測定装置。
【請求項４】
圧力をサンプリング測定してリアルタイムで高度表示を行う携帯型圧力測定装置において、移動検出手段と高度変化率演算手段と最大しきい値から最小しきい値までＮ−１個のしきい値を設定する手段とを備え、前記移動検出手段が移動を検出しているときは、高度変化率が最大しきい値以上のときには最小周期の第Ｎサンプリング周期で圧力測定を行い、高度変化率が最小しきい値未満のときは最大周期の第１サンプリング周期で圧力測定を行い、高度変化率が最大しきい値と最小しきい値の間にあるときは夫々のしきい値に対応した大きさのサンプリング周期で圧力測定を行い、前記移動検出手段が移動を検出していないときは前記最大周期よりも長い非移動時サンプリング周期で圧力測定を行うことを特徴とする携帯型圧力測定装置。
【発明の詳細な説明】
【０００１】
【発明の属する技術分野】
本発明は、圧力をサンプリング測定してリアルタイムで高度表示を行う携帯型圧力測定装置の低消費電力化に関する。
【０００２】
【従来の技術】
一般に高度計として使用される携帯型圧力測定装置は、一定間隔毎にサンプリングして圧力を測定する半導体圧力センサと、周知の圧力・高度変換式を用いて高度を演算する演算制御部と、高度を表示する表示部と、これらに電力を供給する電池を少なくとも具備して構成されている。
【０００３】
実公平５−１１４５５号公報には、少なくとも半導体圧力センサと制御部と表示部を備え水深計と高度計のいずれにも使用できる携帯型圧力測定装置であって、半導体圧力センサの消費電力を抑制するために圧力測定のサンプリング周期を切替えるようにしたことを特徴とする携帯型圧力測定装置が開示されている。即ち、水深計測時には圧力測定は１秒周期で一定時間だけサンプリング計測を行い、また高度計測時には高度計測の開始直後は１秒周期で、以後は１分周期で、そして高度変化が著しいときは１秒周期で、それぞれ一定時間だけサンプリング計測をすることによって、低消費電力化を図っている。
【０００４】
この従来の携帯型圧力測定装置において、水深計測と高度計測の切替はキー入力による手動で行われている。また高度変化が著しいときか否かの判定は前記制御部により自動的に行われている。即ち、前記制御部は最新の高度データと１分前の高度データとを比較し、その差がしきい値を超えたときに、高度変化が著しいと判定している。
【０００５】
要するに、この従来の携帯型圧力測定装置は、高度計測の起動時から一定時間経過後は、圧力測定を高度変化が著しくないときには１分周期のサンプリング周期で、また高度変化が著しいときには１秒周期のサンプリング周期で夫々行うようにし、そしてサンプリング周期の切替は１分間当たりの高度変化率を測定して自動的に行うものであるから、リアルタイムの高度表示と低消費電力化を同時に実現している。
【０００６】
しかしながら、この従来の携帯型圧力測定装置は携帯時サンプリング周期が１分周期と１秒周期の２種類であるから、スカイダイビング、スキー、登山等の用途に最適の携帯時サンプリング周期とは言えない。因みに、スカイダイビング、スキー、及び登山の場合の携帯型圧力測定装置の通常の携帯時サンプリング周期は夫々、１００ミリ秒、１００ミリ秒〜１秒、及び１分である。従って、上記従来の携帯型圧力測定装置では、低消費電力化とリアルタイムの高度表示を両立させることが未だ不十分であるという問題がある。
【０００７】
また、この従来の携帯型圧力測定装置は、水深計測と高度計測の切替をユーザーがキー入力により手動で行うものであり、また特に記載されていないが使用後はユーザーが計測終了をキー入力により手動で行うものである。このため、計測終了のキー入力を忘れることがあり、このような場合には計測モードが継続することになり、無駄な電力を消費するという問題がある。
【０００８】
【発明が解決しようとする課題】
解決しようとする課題は、高度計として使用される携帯型圧力測定装置において、用途に応じて常に最適のサンプリング周期に自動的に切替えて圧力測定を行うことができる携帯型圧力測定装置を提供することである。
【０００９】
【課題を解決するための手段】
携帯型圧力測定装置が様々な用途に供されることに着目し、高度変化率に対応したサンプリング周期を予め設定し、高度変化率がしきい値を超える度にサンプリング周期を自動的に切替え、最適のサンプリング周期で圧力測定を行うようにした。更に、携帯型圧力測定装置が非移動時に無駄な電力を消費しないようにするために、非移動時には圧力測定を行わないか、又は非常にゆっくりしたサンプリング周期で圧力測定を行うようにした。
【００１０】
即ち、上記課題を解決する携帯型圧力測定装置を、圧力をサンプリング測定してリアルタイムで高度表示を行う携帯型圧力測定装置に移動検出手段を備え、前記移動検出手段が移動を検出しているときはリアルタイム表示に適した携帯時サンプリング周期で圧力測定を行い、前記移動検出手段が移動を検出していないときは圧力測定を行わないように構成した。
【００１１】
また、上記課題を解決する携帯型圧力測定装置を、圧力をサンプリング測定してリアルタイムで高度表示を行う携帯型圧力測定装置に移動検出手段を備え、前記移動検出手段が移動を検出しているときはリアルタイム表示に適した携帯時サンプリング周期で圧力測定を行い、前記移動検出手段が移動を検出していないときは携帯時サンプリング周期より長い非移動時サンプリング周期で圧力測定を行うように構成した。
【００１２】
また、上記課題を解決する携帯型圧力測定装置を、圧力をサンプリング測定してリアルタイムで高度表示を行う携帯型圧力測定装置において、高度変化率演算手段と最大しきい値から最小しきい値までＮ−１個のしきい値を設定する手段とを備え、高度変化率が最大しきい値以上のときには最小周期の第Ｎサンプリング周期で圧力測定を行い、高度変化率が最小しきい値未満のときは最大周期の第１サンプリング周期で圧力測定を行い、高度変化率が最大しきい値と最小しきい値の間にあるときは夫々のしきい値に対応した大きさのサンプリング周期で圧力測定を行うように構成した。そして、上記Ｎを３とした実施の形態を開示した。
【００１３】
また、上記課題を解決する携帯型圧力測定装置を、圧力をサンプリング測定してリアルタイムで高度表示を行う携帯型圧力測定装置において、移動検出手段と高度変化率演算手段と最大しきい値から最小しきい値までＮ−１個のしきい値を設定する手段とを備え、前記移動検出手段が移動を検出しているときは、高度変化率が最大しきい値以上のときには最小周期の第Ｎサンプリング周期で圧力測定を行い、高度変化率が最小しきい値未満のときは最大周期の第１サンプリング周期で圧力測定を行い、高度変化率が最大しきい値と最小しきい値の間にあるときは夫々のしきい値に対応した大きさのサンプリング周期で圧力測定を行い、前記移動検出手段が移動を検出していないときは圧力のサンプリング測定を行わないように構成した。そして、上記Ｎを２とした実施の形態を開示した。
【００１４】
更に、上記課題を解決する携帯型圧力測定装置を、圧力をサンプリング測定してリアルタイムで高度表示を行う携帯型圧力測定装置において、移動検出手段と高度変化率演算手段と最大しきい値から最小しきい値までＮ−１個のしきい値を設定する手段とを備え、前記移動検出手段が移動を検出しているときは、高度変化率が最大しきい値以上のときには最小周期の第Ｎサンプリング周期で圧力測定を行い、高度変化率が最小しきい値未満のときは最大周期の第１サンプリング周期で圧力測定を行い、高度変化率が最大しきい値と最小しきい値の間にあるときは夫々のしきい値に対応した大きさのサンプリング周期で圧力測定を行い、前記移動検出手段が移動を検出していないときは前記最大周期よりも長い非移動時サンプリング周期で圧力測定を行うように構成した。そして、上記Ｎを２とした実施の形態を開示した。
【００１５】
【発明の実施の形態】
以下、本発明を第１実施形態から第５実施形態について順に説明する。
（第１実施形態）
本発明の第１実施形態の携帯型圧力測定装置は、図１に示す如く、圧力センサ１０、各種制御と演算を行う制御部１１、制御プログラムが記憶されたＲＯＭ１２、各種データが記憶されるＲＡＭ１３、高度等が表示される表示パネル１４、各種設定を行うためのスイッチ１５、圧力センサ１０を所定のサンプリング周期で駆動するサンプリングコントローラ１６、圧力センサ１０のアナログ信号をデジタル信号に変換するＡ／Ｄ変換部１７、測定圧力から演算により高度を求める圧力／高度演算部１８、及び加速度センサの如き移動検出部２０とから構成され、図１０及び図１１に示す如きフローチャートに従って圧力測定を行うものである。
【００１６】
即ち、移動検出部２０から移動検出部割込みがあると、図１０の移動検出処理プログラムがスタートする。すると、制御部１１は、測定サンプリング開始処理（１０１）、移動継続カウンタセット（１０２）の処理を順に行って、移動検出処理プログラムを終了させる。
【００１７】
上記の移動継続カウンタは、制御部１１に内蔵されているカウンタで、移動中の継続時間の設定及び管理を行うカウンタである。例えば、圧力測定サンプリング周期、即ち携帯時サンプリング周期が１分、移動継続カウンタのセット値が５であれば、移動検出処理が行われる度に移動継続カウンタは５にセットされる。
【００１８】
サンプリングコントローラ１６からサンプリングコントローラ割込みがあると、図１１の圧力測定処理プログラムがスタートする。すると、制御部１１は、圧力センサ駆動（２０１）、Ａ／Ｄ変換（２０２）、圧力・高度演算（２０３）の処理を順に行わせる。ステップ２０３に続いて、制御部１１は、移動継続カウンタ−１（２０４）の処理を行う。移動継続カウンタ−１とは、移動継続カウンタのセット値から値１が差し引かれる処理である。
【００１９】
ステップ２０４に続いて、制御部１１は、移動継続カウンタ＝０か否かを判断し（２０５）、判断結果がＹＥＳならば測定サンプリング終了処理（２０６）を行い、圧力測定処理プログラムを終了させる。ステップ２０５の判断結果がＮＯならば、測定サンプリングを継続する。
【００２０】
図４は、本発明の第１実施形態の携帯型圧力測定装置を携帯した利用者が、平地から高地に移動した場合のサンプリング周期の変化を示したものである。
【００２１】
図４から明らかな如く、利用者が移動し始める前は、圧力測定は全く行われていないが、移動検出部２０による移動検出部割込みがあると、所定の携帯時サンプリング周期で圧力測定が開始される。
【００２２】
そして、移動検出部割込みがある毎に、移動継続カウンタは所定の値、例えば５に再セットされる。従って、移動中は図１０のフローチャートのステップ１０１から１０２まで、及び図１１のフローチャートのステップ２０１から２０４までの処理が繰り返し行われることになる。
【００２３】
移動検出処理が行われなくなった場合、即ち移動終了した場合は、移動継続カウンタの再セットが行われなくなるため、圧力測定処理内での移動継続カウンタのダウンカウントのみ有効となり、圧力測定が行われる度に移動継続カウンタのセット値から値１が差し引かれる処理、即ち移動継続カウンタ−１の処理が行われる。このため、移動終了した場合は５回の移動継続カウンタ−１の処理で、移動カウンタのセット値はゼロ、即ち移動継続カウンタ＝０となり、測定サンプリング終了処理（２０６）が行われるのである。携帯時サンプリング周期が１分で、且つ移動継続カウンタのセット値が５であれば、移動終了した時刻から５分後に圧力測定は休止することになる。
【００２４】
（第２実施形態）
本発明の第２実施形態の携帯型圧力測定装置は、図１に示す如く第１実施形態の携帯型圧力測定装置と同じように構成され、図１２及び図１３に示す如きフローチャートに従って圧力測定を行うものである。
【００２５】
即ち、移動検出部２０から移動検出部割込みがあると、図１２の移動検出処理プログラムがスタートする。すると、制御部１１は、サンプリング周期２セット（３０１）、移動継続カウンタセット（３０２）の処理を順に行って、移動検出処理プログラムを終了させる。サンプリング周期２は携帯時サンプリング周期であって、例えば１分間である。
【００２６】
サンプリングコントローラ１６からサンプリングコントローラ割込みがあると、図１３の圧力測定処理プログラムがスタートする。すると、制御部１１は、圧力センサ駆動（４０１）、Ａ／Ｄ変換（４０２）、圧力・高度演算（４０３）の処理を順に行わせる。
【００２７】
続いて、制御部１１は、状態＝測定サンプリング周期１の判断（４０４）を行う。即ち、現在のサンプリング周期がサンプリング周期１であるか否かの判断を行う。サンプリング周期１は、例えば３０分である。
【００２８】
ステップ４０４の判断結果がＮＯならば、移動継続カウンタ−１（４０５）の処理を行う。また、ステップ４０４の判断結果がＹＥＳならば圧力測定プログラムを終了させる。
【００２９】
ステップ４０５に続いて、制御部１１は、移動継続カウンタ＝０か否かの判断を行う（４０６）。ステップ４０５の判断結果がＹＥＳならば、制御部１１はサンプリングコントローラ１６に測定サンプリング周期１のセット（４０７）を行わせ、サンプリング周期１で測定サンプリングを継続する。また、ステップ４０６の判断結果がＮＯならば圧力測定プログラムを終了させる。
【００３０】
図５は、第２実施形態の携帯型圧力測定装置を携帯した利用者が、平地から高地に移動した場合のサンプリング周期の変化を示したものである。
【００３１】
図５から明らかな如く、利用者が移動し始める前は、携帯型圧力測定装置は非移動時サンプリング周期、即ちサンプリング１で圧力測定を行っているが、移動検出部２０による移動検出部割込みがあると、所定の測定サンプリング周期、即ちサンプリング周期２で圧力測定が開始される。
【００３２】
そして、移動検出部割込みがある毎に、移動継続カウンタは所定の値、例えば５に再セットされる。従って、移動中は図１２のフローチャートのステップ３０１から３０２まで、及び図１３のフローチャートのステップ４０１から４０５までの処理が繰り返し行われることになる。
【００３３】
移動検出処理が行われなくなった場合、即ち移動終了した場合は、移動継続カウンタの再セットが行われなくなるため、圧力測定処理内での移動継続カウンタのダウンカウントのみ有効となり、圧力測定が行われる度に移動継続カウンタのセット値から値１が差し引かれる処理、即ち移動継続カウンタ−１が行われる。このため、移動終了した場合は５回の移動継続カウンタ−１の処理で、移動カウンタのセット値はゼロ、即ち移動継続カウンタ＝０となり、サンプリング周期１、即ち非移動時の測定サンプリングが行われるのである。携帯時サンプリング周期であるサンプリング周期２が１分で、且つ移動継続カウンタのセット値が５であれば、移動終了した時刻から５分後にサンプリング周期２から非移動時サンプリング周期であるサンプリング周期１に移行することになる。
【００３４】
（第３実施形態）
本発明の第３実施形態の携帯型圧力測定装置は、図２に示す如く、圧力センサ１０、各種制御と演算を行う制御部１１、制御プログラムが記憶されたＲＯＭ１２、各種データが記憶されるＲＡＭ１３、高度等が表示される表示パネル１４、各種設定を行うためのスイッチ１５、圧力センサ１０を所定のサンプリング周期で駆動するサンプリングコントローラ１６、圧力センサ１０のアナログ信号をデジタル信号に変換するＡ／Ｄ変換部１７、測定圧力から演算により高度を求める圧力／高度演算部１８、及び圧力変化率演算部１９とから構成され、図１４に示す如きフローチャートに従って圧力測定を行うものである。
【００３５】
即ち、サンプリングコントローラ１６からサンプリングコントローラ割込み信号があると、圧力測定プログラムがスタートする。
【００３６】
すると、制御部１１は、圧力センサ駆動（５０１）、Ａ／Ｄ変換（５０２）、圧力・高度演算（５０３）、及び高度変化率(以下ΔＡＬＴと記載する)の演算（５０４）の処理を順に行わせる。ΔＡＬＴの演算は、前回の測定値と今回の測定値から求められるものである。
【００３７】
ステップ５０４に続いて、制御部１１は、ΔＡＬＴの絶対値がしきい値１よりも小さいか否かの判断を行う（５０５）。ステップ５０５の判断結果がＹＥＳならば、制御部１１はサンプリングコントローラ１６に測定サンプリング周期１セットの処理を行わせる（５０７）。
【００３８】
ステップ５０５の判断結果がＮＯならば、制御部１１は、ΔＡＬＴの絶対値がしきい値１以上で且つしきい値２未満か否かの判断を行う（５０６）。
【００３９】
ステップ５０６の判断結果がＮＯならば、即ちΔＡＬＴの絶対値がしきい値２以上である場合は、制御部１１はサンプリングコントローラ１６に測定サンプリング周期３セットの処理を行わせる（５０９）。
【００４０】
第３実施形態の携帯型圧力測定装置は、高度変化率演算手段と最大しきい値から最小しきい値までＮ−１個のしきい値を設定する手段とを備え、Ｎが３の一実施形態においては、ΔＡＬＴの絶対値が最大しきい値（しきい値２）以上のときは最小周期のサンプリング周期３で圧力測定を行い、高度変化率が最小しきい値（しきい値１）未満のときは最大周期のサンプリング周期１で圧力測定を行い、高度変化率が最大しきい値と最小しきい値の間にあるときは最大周期と最小周期の間のサンプリング周期２で圧力測定を行うものである。
【００４１】
例えば、第３実施形態の携帯型圧力測定装置の利用者が約３０ｍの平地から約４６０ｍの高地まで移動した場合を示した図６及び図７において、ΔＡＬＴの絶対値が小さく、しきい値１未満のときには最大周期のサンプリング周期１で圧力測定が行われている。また、ΔＡＬＴの絶対値が非常に大きく、しきい値２以上のときには最小周期のサンプリング周期３で圧力測定が行われている。そして、ΔＡＬＴの絶対値がほどほどに大きく、しきい値１以上で且つしきい値２未満のときにはサンプリング周期２、即ちサンプリング周期１とサンプリング周期３との間の所定の周期で圧力測定が行われている。
【００４２】
ΔＡＬＴのしきい値は、第３実施形態の携帯型圧力測定装置の用途、即ちスカイダイビング、スキー、登山、或いはスキューバダイビングによっても異なる。例えば、図６及び図７に示す例では、ΔＡＬＴのしきい値１は高度変化率で±４ｍ／ｍｉｎ、しきい値２は±２０ｍ／ｍｉｎである。
【００４３】
しきい値に対応して定められるサンプリング周期も、第３実施形態の携帯型圧力測定装置の用途、即ちスカイダイビング、スキー、登山、或いはスキューバダイビングによっても異なる。例えば、図６及び図７に示す例では、サンプリング周期１は５分、サンプリング周期２は５秒、サンプリング周期３は１秒である。
【００４４】
以上、第３実施形態の携帯型圧力測定装置において、Ｎが３の場合について説明した。しかしながら、第３実施形態の携帯型圧力測定装置においては、サンプリング周期の数Ｎは用途に応じて４や５等が選ばれる。
【００４５】
（第４実施形態）
本発明の第４実施形態の携帯型圧力測定装置は、図３に示す如く、圧力センサ１０、各種制御と演算を行う制御部１１、制御プログラムが記憶されたＲＯＭ１２、各種データが記憶されるＲＡＭ１３、高度等が表示される表示パネル１４、各種設定を行うためのスイッチ１５、圧力センサ１０を所定のサンプリング周期で駆動するサンプリングコントローラ１６、圧力センサ１０のアナログ信号をデジタル信号に変換するＡ／Ｄ変換部１７、測定圧力から演算により高度を求める圧力／高度演算部１８、圧力変化率演算部１９、及び移動検出部２０とから構成され、図１５及び図１６に示す如きフローチャートに従って圧力測定を行うものである。
【００４６】
即ち、移動検出部２０から移動検出部割込みがあると、図１５の移動検出処理プログラムがスタートする。すると、制御部１１は、測定サンプリング開始処理（６０１）、サンプリング周期１セット（６０２）、及び移動検出フラグオン（６０３）の処理を順に行って、移動検出処理プログラムを終了させる。サンプリング周期１は例えば１分間である。
【００４７】
サンプリングコントローラ１６からサンプリングコントローラ割込みがあると、図１１の圧力測定処理プログラムがスタートする。すると、制御部１１は、移動検出フラグオンか否かの判断を行う（７０１）。ステップ７０１でＹＥＳならば、制御部１１は、圧力センサ駆動（７０２）、Ａ／Ｄ変換（７０３）、圧力・高度演算（７０４）、及びΔＡＬＴの演算（７０５）の処理を順に行わせる。ΔＡＬＴの演算は、前回の測定値と今回の測定値から求められるものである。
【００４８】
ステップ７０５に続いて、制御部１１は、ΔＡＬＴの絶対値がしきい値よりも小さいか否かの判断を行う（７０６）。ステップ７０６の判断結果がＹＥＳならば、制御部１１はサンプリングコントローラ１６に測定サンプリング周期１セット（７０８）の処理を行わせ、続いて移動検出フラグオフ（７０９）の処理を行い、即ち次回サンプリングまでに移動検出しなければ、サンプリングを終了する。
【００４９】
ステップ７０６の判断結果がＮＯならば、制御部１１はサンプリングコントローラ１６に測定サンプリング周期２セット（７０７）の処理を行わせ、圧力測定プログラムは終了する。
【００５０】
本発明の第４実施形態の携帯型圧力測定装置は、移動検出手段と高度変化率演算手段と最大しきい値から最小しきい値までＮ−１個のしきい値を設定する手段とを備え、前記移動検出手段が移動を検出しているときは、高度変化率が最大しきい値を超えたときには最小周期の第Ｎサンプリング周期で圧力測定を行い、高度変化率が最小しきい値以下のときは最大周期の第１サンプリング周期で圧力測定を行い、高度変化率が最大しきい値と最小しきい値の間にあるときは夫々のしきい値に対応した大きさのサンプリング周期で圧力測定を行い、前記移動検出手段が移動を検出していないときは圧力のサンプリング測定を行わないことを特徴とする携帯型圧力測定装置であるが、上述の実施形態ではサンプリング周期の数Ｎは２とした。
【００５１】
例えば、第４実施形態の携帯型圧力測定装置の利用者が約３０ｍの平地から約４６０ｍの高地まで移動した場合を示した図８及び図９において、利用者が移動し始める前は、圧力測定は全く行われていないが、移動検出部２０による移動検出部割込みがあると、サンプリング周期１で圧力測定が開始される。
【００５２】
そして、移動中は図１５のフローチャートのステップ６０１から６０３まで、及び図１６のフローチャートのステップ７０２から７０８までの処理が繰り返し行われることになる。
【００５３】
移動中においては、ΔＡＬＴの絶対値が小さく、しきい値未満のときには最大周期のサンプリング周期１で圧力測定が行われている。また、ΔＡＬＴの絶対値が大きく、しきい値以上のときには最小周期のサンプリング周期２で圧力測定が行われている。移動検出が行われなくなると、移動検出フラグがオフとなるので、制御部１１はこれを検出し、圧力測定を終了する。
【００５４】
なお、第４実施形態の携帯型圧力測定装置において、ΔＡＬＴのしきい値は±２０ｍ／ｍｉｎ、サンプリング周期１は５秒、サンプリング周期２は１秒である。
【００５５】
第４実施形態の携帯型圧力測定装置においても、サンプリング周期の数Ｎは用途に応じて３や４や５等が選ばれる。
【００５６】
（第５実施形態）
本発明の第５実施形態の携帯型圧力測定装置は、図３に示す如く第４実施形態の携帯型圧力測定装置と同じように構成され、移動検出部２０が移動を検出しているときは図８並びに図９に示す如きサンプリング周期で圧力測定を行ない、移動検出部２０が移動を検出していないときは非移動時サンプリング周期で圧力測定を行なうものである。
【００５７】
即ち、第５実施形態の携帯型圧力測定装置は、圧力をサンプリング測定しリアルタイムで高度表示を行う携帯型圧力測定装置において、移動検出手段と高度変化率演算手段と最大しきい値から最小しきい値までＮ−１個のしきい値を設定する手段とを備え、前記移動検出手段が移動を検出しているときは、高度変化率が最大しきい値以上のときには最小周期の第Ｎサンプリング周期で圧力測定を行い、高度変化率が最小しきい値未満のときは最大周期の第１サンプリング周期で圧力測定を行い、高度変化率が最大しきい値と最小しきい値の間にあるときは夫々のしきい値に対応した大きさのサンプリング周期で圧力測定を行い、前記移動検出手段が移動を検出していないときは前記最大周期よりも長い非移動時サンプリング周期で圧力測定を行うことを特徴とするものであるが、サンプリング周期の数Ｎを２とした場合の実施形態は、移動時に関する限り、上述の第４実施形態の携帯型圧力測定装置と全く同じである。
【００５８】
なお、サンプリング周期の数Ｎを２とした場合において、例えば、第２サンプリング周期は１秒、第１サンプリング周期は５秒、そして非移動時サンプリング周期は３０分である。
【００５９】
第５実施形態の携帯型圧力測定装置においても、サンプリング周期の数Ｎは用途に応じて３や４や５等が選ばれる。
【発明の効果】
本発明により、用途に応じたリアルタイム高度表示と低消費電力化という２つの要求を同時に満足する携帯型圧力測定装置を提供することができた。
【００６０】
また、高度変化率に応じて最適のサンプリング周期が設定できるので、様々な用途に適用できる携帯型圧力測定装置が提供された。
【図面の簡単な説明】
【図１】本発明の第１実施形態と第２実施形態の携帯型圧力測定装置のブロック図である。
【図２】本発明の第３実施形態の携帯型圧力測定装置のブロック図である。
【図３】本発明の第４実施形態と第５実施形態の携帯型圧力測定装置のブロック図である。
【図４】第１実施形態の携帯型圧力測定装置のサンプリング周期の一例を示した図である。
【図５】第２実施形態の携帯型圧力測定装置のサンプリング周期の一例を示した図である。
【図６】第３実施形態の携帯型圧力測定装置のサンプリング周期の一例を高度に対応して示した図である。
【図７】第３実施形態の携帯型圧力測定装置のサンプリング周期の一例を高度変化率に対応して示した図である。
【図８】第４実施形態の携帯型圧力測定装置のサンプリング周期の一例を高度に対応して示した図である。
【図９】第４実施形態の携帯型圧力測定装置のサンプリング周期の一例を高度変化率に対応して示した図である。
【図１０】第１実施形態の携帯型圧力測定装置における移動検出処理のフローチャートである。
【図１１】第１実施形態の携帯型圧力測定装置における圧力測定処理のフローチャートの一例を示した図である。
【図１２】第２実施形態の携帯型圧力測定装置における移動検出処理のフローチャートの一例を示した図である。
【図１３】第２実施形態の携帯型圧力測定装置における圧力測定処理のフローチャートの一例を示した図である。
【図１４】第３実施形態の携帯型圧力測定装置における圧力測定処理のフローチャートの一例を示した図である。
【図１５】第４実施形態の携帯型圧力測定装置における移動検出処理のフローチャートの一例を示した図である。
【図１６】第４実施形態の携帯型圧力測定装置における圧力測定処理のフローチャートの一例を示した図である。
【符号の説明】
１０  圧力センサ
１１  制御部
１２  ＲＯＭ
１３  ＲＡＭ
１４  表示パネル
１５  スイッチ
１６  サンプリングコントローラ
１７  Ａ／Ｄ変換部
１８  圧力／高度演算部
１９  圧力変化率演算部
２０  移動検出部
【図１】
0003808294.tif 000002
【図２】
0003808294.tif 000003
【図３】
0003808294.tif 000004
【図４】
0003808294.tif 000005
【図５】
0003808294.tif 000006
【図６】
0003808294.tif 000007
【図７】
0003808294.tif 000008
【図８】
0003808294.tif 000009
【図９】
0003808294.tif 000010
【図１０】
0003808294.tif 000011
【図１１】
0003808294.tif 000012
【図１２】
0003808294.tif 000013
【図１３】
0003808294.tif 000014
【図１４】
0003808294.tif 000015
【図１５】
0003808294.tif 000016
【図１６】
0003808294.tif 000017